【手続補正書】
【提出日】平成16年12月8日(2004.12.8)
【手続補正１】
【補正対象書類名】明細書
【補正対象項目名】発明の名称
【補正方法】変更
【補正の内容】
【発明の名称】画像処理方法及び装置
【手続補正２】
【補正対象書類名】明細書
【補正対象項目名】特許請求の範囲
【補正方法】変更
【補正の内容】
【特許請求の範囲】
【請求項１】
規則的な二進数の数値信号をクロック信号に同期して逐次的に生成して出力する数値信号生成工程と、
前記数値信号生成工程の出力信号を入力信号とし該入力信号の各ビットの順番を入れ替えた信号またはビットを反転した信号を生成して出力するビット交換工程と、
前記ビット交換工程のビット順番入れ替え動作またはビット反転動作を制御する制御工程とを有し、
メモリに画素データに分割されて１次元的に並べて記憶されている画像データを前記数値信号生成工程の逐次動作に同期して、そして前記ビット交換工程により生成された出力信号をアドレス信号として読み出して出力することにより、元画像に対して回転または反転処理を行うことを特徴とする画像処理方法。
【請求項２】
入力した二次元の画像を画素データの集まりで表現し、全ての画素データを一次元的に並べ、クロック信号に同期してメモリへ転送することを特徴とする請求項１に記載の画像処理方法。
【請求項３】
前記ビット変換工程は、複数通りのビットの交換ができ、回転の角度または反転の種類に応じて、その中から１つを選択して出力することを特徴とする請求項１に記載の画像処理方法。
【請求項４】
規則的な二進数の数値信号をクロック信号に同期して逐次的に生成して出力する数値信号生成手段と、
前記数値信号生成手段の出力信号を入力信号とし該入力信号の各ビットの順番を入れ替えた信号またはビットを反転した信号を生成して出力するビット交換手段と、
前記ビット交換手段のビット順番入れ替え動作またはビット反転動作を制御する制御手段と、
画像データを記憶する記憶手段とを有し、
前記記憶手段に画素データに分割されて１次元的に並べて記憶されている画像データを前記数値信号生成手段の逐次動作に同期して、そして前記ビット交換手段により生成された出力信号をアドレス信号として読み出して出力することにより、前記元画像に対して回転または反転処理を行うことを特徴とする画像処理装置。
【請求項５】
入力した二次元の画像を画素データの集まりで表現し、全ての画素データを一次元的に並べ、クロック信号に同期してメモリへ転送することを特徴とする請求項４に記載の画像処理装置。
【請求項６】
前記ビット交換手段は、複数通りのビットの交換ができ、回転の角度または反転の種類に応じて、その中から１つを選択して出力することを特徴とする請求項４に記載の画像処理装置。
【請求項７】
規則的な二進数の数値信号をクロック信号に同期して逐次的に生成して出力する数値信号生成工程と、
前記数値信号生成工程の出力信号を入力信号とし該入力信号の各ビットの順番を入れ替えた信号またはビットを反転した信号を生成して出力するビット交換工程と、
前記ビット交換工程のビット順番入れ替え動作またはビット反転動作を制御する制御工程とを有し、
前記数値信号生成工程の逐次動作に同期して、そして前記ビット交換工程により生成された出力信号をアドレス信号としてメモリに画像データを書き込み、メモリに書き込まれている画像データを所定の順序のアドレスで読み出すことにより、元画像に対して回転または反転処理を行うことを特徴とする画像処理方法。
【請求項８】
規則的な二進数の数値信号をクロック信号に同期して逐次的に生成して出力する数値信号生成手段と、
前記数値信号生成手段の出力信号を入力信号とし該入力信号の各ビットの順番を入れ替えた信号またはビットを反転した信号を生成して出力するビット交換手段と、
前記ビット交換手段のビット順番入れ替え動作またはビット反転動作を制御する制御手段と、
画像データを記憶する記憶手段とを有し、
前記数値信号生成手段の逐次動作に同期して、そして前記ビット交換手段により生成された出力信号をアドレス信号としてメモリに画像データを書き込み、メモリに書き込まれている画像データを所定の順序のアドレスで読み出すことにより、元画像に対して回転または反転処理を行うことを特徴とする画像処理装置。
【請求項９】
ブロック画像及びそのブロック画像の位置情報を入力する入力工程と、
入力したブロック画像をブロック単位で回転または反転処理して出力する画像回転・反転処理工程と、
入力したブロック画像の位置情報を回転または反転処理後の画像の位置情報に変換処理する変換工程とを有し、
前記変換工程による変換処理は、前記画像回転・反転処理工程による画像回転・反転処理内容に対応した処理であり、当該ブロック画像が位置する処理前の画像全体に対する位置情報を前記画像回転・反転処理工程による画像回転・反転処理後の画像全体に対する位置情報に変換し、変換された位置情報を回転または反転処理されたブロック画像に付加して出力することを特徴とする画像処理方法。
【請求項１０】
ブロック画像及びそのブロック画像の位置情報を入力する入力手段と、
入力したブロック画像をブロック単位で回転または反転処理して出力する画像回転・反転処理手段と、
入力したブロック画像の位置情報を回転または反転処理後の画像の位置情報に変換処理する変換手段とを有し、
前記変換手段による変換処理は、前記画像回転・反転処理工程による画像回転・反転処理内容に対応した処理であり、当該ブロック画像が位置する処理前の画像全体に対する位置情報を前記画像回転・反転処理工程による画像回転・反転処理後の画像全体に対する位置情報に変換し、変換された位置情報を回転または反転処理されたブロック画像に付加して出力することを特徴とする画像処理装置。
【手続補正３】
【補正対象書類名】明細書
【補正対象項目名】０００１
【補正方法】変更
【補正の内容】
【０００１】
【発明の属する技術分野】
本発明は、ファクシミリ（ＦＡＸ）や複写機等に適用される画像処理方法及び装置に関する。
【手続補正４】
【補正対象書類名】明細書
【補正対象項目名】００１７
【補正方法】変更
【補正の内容】
【００１７】
本発明は上述した従来技術の欠点を除去するためになされたものであり、その第１の目的とするところは、画像を回転・反転処理するための回路規模を最小限に抑えることができ、また、装置全体の動作クロック周波数を高めて高速動作させることが容易であり、更に、回路の拡張性や流用性にも優れた画像処理方法及び装置を提供することにある。
【手続補正５】
【補正対象書類名】明細書
【補正対象項目名】００１８
【補正方法】変更
【補正の内容】
【００１８】
また、本発明の第２の目的とするところは、画像回転・反転処理に必要な処理時間を短縮できると共に、並列動作も同時に実現することができ、しかも高速画像回転・反転処理に対しての拡張性を持つことが可能な画像処理方法及び装置を提供することにある。
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】変更
【補正の内容】
【００２９】
また、上述した第２の目的を達成するため本発明の請求項９に記載の画像処理方法は、ブロック画像及びそのブロック画像の位置情報を入力する入力工程と、入力したブロック画像をブロック単位で回転または反転処理して出力する画像回転・反転処理工程と、入力したブロック画像の位置情報を回転または反転処理後の画像の位置情報に変換処理する変換工程とを有し、前記変換工程による変換処理は、前記画像回転・反転処理工程による画像回転・反転処理内容に対応した処理であり、当該ブロック画像が位置する処理前の画像全体に対する位置情報を前記画像回転・反転処理工程による画像回転・反転処理後の画像全体に対する位置情報に変換し、変換された位置情報を回転または反転処理されたブロック画像に付加して出力することを特徴とする。
【手続補正９】
【補正対象書類名】明細書
【補正対象項目名】００３０
【補正方法】変更
【補正の内容】
【００３０】
また、上述した第２の目的を達成するため本発明の請求項１０に記載の画像処理装置は、ブロック画像及びそのブロック画像の位置情報を入力する入力手段と、入力したブロック画像をブロック単位で回転または反転処理して出力する画像回転・反転処理手段と、入力したブロック画像の位置情報を回転または反転処理後の画像の位置情報に変換処理する変換手段とを有し、前記変換手段による変換処理は、前記画像回転・反転処理手段による画像回転・反転処理内容に対応した処理であり、当該ブロック画像が位置する処理前の画像全体に対する位置情報を前記画像回転・反転処理手段による画像回転・反転処理後の画像全体に対する位置情報に変換し、変換された位置情報を回転または反転処理されたブロック画像に付加して出力することを特徴とする。
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】０１５２
【補正方法】削除
【補正の内容】
【手続補正１３】
【補正対象書類名】明細書
【補正対象項目名】０１５６
【補正方法】変更
【補正の内容】
【０１５６】
【発明の効果】
以上のように本発明の請求項１乃至３，７に記載の画像処理方法、請求項４乃至６，８に記載の画像処理装置によれば、画像を回転・反転処理するための回路規模を最小限に抑えることができ、また、装置全体の動作クロック周波数を高めて高速動作させることが容易であり、更に、回路の拡張性や流用性にも優れたものとなるという効果を奏する。
【手続補正１４】
【補正対象書類名】明細書
【補正対象項目名】０１５７
【補正方法】変更
【補正の内容】
【０１５７】
また、本発明の請求項９に記載の画像処理方法、請求項１０に記載の画像処理装置によれば、画像回転・反転処理に必要な処理時間を短縮できると共に、並列動作も同時に実現することができ、しかも高速画像回転・反転処理に対しての拡張性を持つことが可能となるという効果を奏する。